(57)【特許請求の範囲】
【請求項１】
周波数とコードとにより規定された複数の無線リソースから、下り信号の受信状態が示された上り応答信号に割り当てられるべき無線リソースを選択する無線リソース選択方法であって、
上り無線リソースに関する第１情報によって、複数の無線リソースを指定する工程Ａと、
上り無線リソースに関する第２情報によって、１つの無線リソースを指定する工程Ｂと、
前記第１情報によって指定されている前記複数の無線リソースの中の前記第２情報によって指定されている前記１つの無線リソースを、前記上り応答信号に割り当てられるべき無線リソースとして選択する工程Ｃとを含むことを特徴とする無線リソース選択方法。
【請求項２】
前記工程Ｂにおいて、前記第２情報によって、未使用の無線リソースを指定することを特徴とする請求項１に記載の無線リソース選択方法。
【請求項３】
前記工程Ａにおいて、前記第１情報によって、前記複数の無線リソースからなるリソースブロックの識別情報を指定し、
前記工程Ｂにおいて、前記第２情報によって、前記１つの無線リソースの識別情報を指定することを特徴とする請求項１に記載の無線リソース選択方法。
【請求項４】
前記第１情報は、ＲＲＣメッセージによって通知され、
前記第２情報は、ＰＤＣＣＨを介して通知されることを特徴とする請求項１に記載の無線リソース選択方法。
【請求項５】
前記第２情報は、送信電力制御に用いられるコマンドのビットによって通知されることを特徴とする請求項１に記載の無線リソース選択方法。
【請求項６】
周波数とコードとにより規定された複数の無線リソースから、下り信号の受信状態が示された上り応答信号に割り当てられるべき無線リソースを選択する無線基地局であって、
上り無線リソースに関する第１情報によって、複数の無線リソースを指定するように構成されている第１指定通知部と、
上り無線リソースに関する第２情報によって、前記複数の無線リソースの中の１つの無線リソースを指定するように構成されている第２指定通知部とを具備することを特徴とする無線基地局。
【請求項７】
前記第１指定通知部は、前記第１情報によって、前記複数の無線リソースからなるリソースブロックの識別情報を指定するように構成されており、
前記第２指定通知部は、前記第２情報によって、前記複数の無線リソースの中の１つの無線リソースの識別情報を指定するように構成されていることを特徴とする請求項６に記載の無線基地局。
【請求項８】
前記第１指定通知部は、ＲＲＣメッセージによって前記第１情報を通知するように構成されており、
前記第２指定通知部は、ＰＤＣＣＨを介して前記第２情報を通知するように構成されていることを特徴とする請求項６に記載の無線基地局。
【請求項９】
前記第２指定通知部は、前記第２情報によって、未使用の無線リソースを指定するように構成されていることを特徴とする請求項６に記載の無線基地局。
【請求項１０】
前記第２指定通知部は、送信電力制御に用いられるコマンドのビットによって前記第２情報を通知するように構成されていることを特徴とする請求項６に記載の無線基地局。
【請求項１１】
無線基地局が、周波数とコードとにより規定された複数の無線リソースから、下り信号の受信状態が示された上り応答信号に割り当てられるべき無線リソースを選択する移動通信システムで用いられる移動局であって、
前記無線基地局から、上り無線リソースに関する第１情報を受信するよう構成されている第１受信部と、
前記無線基地局から、上り無線リソースに関する第２情報を受信するように構成されている第２受信部と、
前記第１情報によって指定されている複数の無線リソースの中の前記第２情報によって指定されている１つの無線リソースを、上り応答信号に割り当てられるべき無線リソースとして選択するように構成されている無線リソース選択部とを具備することを特徴とする移動局。
【請求項１２】
前記第１情報は、前記複数の無線リソースからなるリソースブロックの識別情報を指定し、
前記前記第２情報は、前記１つの無線リソースの識別情報を指定することを特徴とする請求項１１に記載の移動局。
【請求項１３】
前記第１受信部は、ＲＲＣメッセージを介して前記第１情報を受信するように構成されており、
前記第２受信部は、ＰＤＣＣＨを介して前記第２情報を受信するように構成されていることを特徴とする請求項１１に記載の移動局。
【請求項１４】
前記第２受信部は、送信電力制御に用いるコマンドのビットを介して前記第２情報を受信するように構成されていることを特徴とする請求項１１に記載の移動局。
【発明の詳細な説明】
【技術分野】
【０００１】
本発明は、移動局が、第１割当開始時点を起点として第１周期で固定的に割り当てられている下り無線リソースを用いて、無線基地局から送信された下りデータを受信し、固定的に割り当てられている上り無線リソースを用いて該下りデータに対する送達確認情報を送信する移動通信方法、移動局、及び、無線基地局に関する。
【背景技術】
【０００２】
Ｗ-ＣＤＭＡ方式やＨＳＤＰＡ方式の後継となる通信方式、すなわち、ＬＴＥ（Ｌｏｎｇ  Ｔｅｒｍ  Ｅｖｏｌｕｔｉｏｎ）方式が、Ｗ-ＣＤＭＡの標準化団体３ＧＰＰにより検討され、その仕様策定作業が進められている。
【０００３】
ＬＴＥ方式においては、無線アクセス方式として、下りリンクについてはＯＦＤＭＡが用いられ、上りリンクについてはＳＣ-ＦＤＭＡ（Ｓｉｎｇｌｅ-Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）が用いられることが検討されている（例えば、非特許文献１参照）。
【０００４】
ＯＦＤＭＡは、周波数帯域を複数の狭い周波数帯域（サブキャリア）に分割し、各周波数帯上にデータを載せて伝送を行う方式であり、サブキャリアを周波数上に、一部重なりあいながらも互いに干渉することなく密に並べることで、高速伝送を実現し、周波数の利用効率を上げることができる。
【０００５】
ＳＣ-ＦＤＭＡは、周波数帯域を分割し、複数の端末間で異なる周波数帯域を用いて伝送することで、端末間の干渉を低減することができる伝送方式である。ＳＣ-ＦＤＭＡでは、送信電力の変動が小さくなる特徴を持つことから、端末の低消費電力化及び広いカバレッジを実現できる。
【０００６】
ＬＴＥ方式は、上りリンク及び下りリンク共に、１つ乃至２つ以上の物理チャネルを複数の移動局で共有して通信を行うシステムである。
【０００７】
複数の移動局で共有されるチャネルは、一般に共有チャネルと呼ばれ、ＬＴＥ方式においては、上りリンクにおいては「物理上りリンク共有チャネル（Ｐｈｙｓｉｃａｌ  Ｕｐｌｉｎｋ  Ｓｈａｒｅｄ  Ｃｈａｎｎｅｌ：  ＰＵＳＣＨ）」であり、下りリンクにおいては「物理下りリンク共有チャネル（Ｐｈｙｓｉｃａｌ  Ｄｏｗｎｌｉｎｋ  Ｓｈａｒｅｄ  Ｃｈａｎｎｅｌ：  ＰＤＳＣＨ）」である。
【０００８】
また、かかる共有チャネルは、トランスポートチャネルとしては、上りリンクにおいては「上りリンク共有チャネル（ＵＬ-ＳＣＨ：  Ｕｐｌｉｎｋ  Ｓｈａｒｅｄ  Ｃｈａｎｎｅｌ）」であり、下りリンクにおいては「下りリンク共有チャネル（ＤＬ-ＳＣＨ：  Ｄｏｗｎｌｉｎｋ  Ｓｈａｒｅｄ  Ｃｈａｎｎｅｌ）」である。
【０００９】
そして、上述したような共有チャネルを用いた通信システムにおいては、サブフレーム（Ｓｕｂ-ｆｒａｍｅ）（ＬＴＥ方式では、１ｍｓ）毎に、どの移動局ＵＥに対して共有チャネルを割り当てるかを選択し、選択された移動局ＵＥに対して、共有チャネルを割り当てることをシグナリングする必要がある。
【００１０】
このシグナリングのために用いられる制御チャネルは、ＬＴＥ方式では、「物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）」又は「下りリンクＬ１／Ｌ２制御チャネル（ＤＬ  Ｌ１／Ｌ２  Ｃｏｎｔｒｏｌ  Ｃｈａｎｎｅｌ：  Ｄｏｗｎｌｉｎｋ  Ｌ１／Ｌ２  Ｃｏｎｔｒｏｌ  Ｃｈａｎｎｅｌ）」と呼ばれる。
【００１１】
なお、上述した、サブフレーム毎に、どの移動局ＵＥに対して共有チャネルを割り当てるかを選択する処理のことを、一般に「スケジューリング」と呼ぶ。この場合、サブフレーム毎に、動的に共有チャネルを割り当てる移動局ＵＥを選択するため、「Ｄｙｎａｍｉｃスケジューリング」と呼ばれてもよい。また、上述した「共有チャネルを割り当てる」とは、「共有チャネルのための無線リソースを割り当てる」と表現されてもよい。
【００１２】
物理下りリンク制御チャネルの情報には、例えば、「下りリンクスケジューリング情報（Ｄｏｗｎｌｉｎｋ  Ｓｃｈｅｄｕｌｉｎｇ  Ｉｎｆｏｒｍａｔｉｏｎ）」や、「上りリンクスケジューリンググラント（Ｕｐｌｉｎｋ  Ｓｃｈｅｄｕｌｉｎｇ  Ｇｒａｎｔ）」等が含まれる（例えば、非特許文献２参照）。
【００１３】
「Ｄｏｗｎｌｉｎｋ  Ｓｃｈｅｄｕｌｉｎｇ  Ｉｎｆｏｒｍａｔｉｏｎ」には、例えば、下りリンクの共有チャネルに関する、下りリンクのリソースブロック（Ｒｅｓｏｕｒｃｅ  Ｂｌｏｃｋ）の割り当て情報、ＵＥのＩＤ、ストリームの数、プリコーディングベクトル（Ｐｒｅｃｏｄｉｎｇ  Ｖｅｃｔｏｒ）に関する情報、データサイズ、変調方式、ＨＡＲＱ（ｈｙｂｒｉｄ  ａｕｔｏｍａｔｉｃ  ｒｅｐｅａｔ  ｒｅｑｕｅｓｔ）に関する情報等が含まれる。
【００１４】
また、「Ｕｐｌｉｎｋ  Ｓｃｈｅｄｕｌｉｎｇ  Ｇｒａｎｔ」には、例えば、上りリンクの共有チャネルに関する、上りリンクのリソースブロック（Ｒｅｓｏｕｒｃｅ  Ｂｌｏｃｋ）の割り当て情報、ＵＥのＩＤ、データサイズ、変調方式、上りリンクの送信電力情報、Ｕｐｌｉｎｋ  ＭＩＭＯにおけるデモジュレーション  レファレンス  シグナル（Ｄｅｍｏｄｕｌａｔｉｏｎ  Ｒｅｆｅｒｅｎｃｅ  Ｓｉｇｎａｌ）の情報等が含まれる。
【００１５】
なお、上述した「Ｄｏｗｎｌｉｎｋ  Ｓｃｈｅｄｕｌｉｎｇ  Ｉｎｆｏｒａｍｔｉｏｎ」や「Ｕｐｌｉｎｋ  Ｓｃｈｅｄｕｌｉｎｇ  Ｇｒａｎｔ」は、まとめて、「下りリンク制御情報（ＤＣＩ：  Ｄｏｗｎｌｉｎｋ  Ｃｏｎｔｒｏｌ  Ｉｎｆｏｒｍａｔｉｏｎ）」と呼ばれてもよい。
【００１６】
また、ＬＴＥ方式では、上述した共有チャネルを用いた通信においては、ＨＡＲＱが適用される。例えば、下りリンクに関しては、移動局ＵＥは、下りリンクの共有チャネルの復号を行い、その復号結果（ＣＲＣ  ｃｈｅｃｋ結果）に基づいた送達確認情報（Ａｃｋｎｏｗｌｅｄｇｅｍｅｎｔ  ｉｎｆｏｒｍａｔｉｏｎ：  ＡＣＫ／ＮＡＣＫ）を上りリンクの制御チャネル(ＰＵＣＣＨ：Ｐｈｙｓｉｃａｌ  Ｕｐｌｉｎｋ  Ｃｏｎｔｒｏｌ  Ｃｈａｎｎｅｌ)を用いて、無線基地局ｅＮＢに送信する。
【００１７】
そして、無線基地局ｅＮＢは、送達確認情報の内容に応じて再送制御を行う。送達確認情報の内容は、送信信号が適切に受信されたことを示す肯定応答（ＡＣＫ）又は送信信号が適切に受信されなかったことを示す否定応答（ＮＡＣＫ）の何れかで表現される。
【００１８】
図８に、上述したＬＴＥ方式の移動通信システムにおける下りリンクの「Ｄｙｎａｍｉｃスケジューリング」及びＨＡＲＱの処理を示す。
【００１９】
サブフレーム＃３において、無線基地局ｅＮＢは、移動局ＵＥに対して、ＰＤＣＣＨを介して下りリンクスケジューリング情報を送信し、ＰＤＳＣＨを介して下りデータを送信する。
【００２０】
そして、移動局ＵＥは、ＰＤＣＣＨを介して受信した下りリンクスケジューリング情報に基づいて、ＰＤＳＣＨを介して下りデータを受信する。
【００２１】
サブフレーム＃７において、移動局ＵＥは、ＰＵＣＣＨを用いて、当該下りデータに対する送達確認情報を送信し、無線基地局ｅＮＢは、ＰＵＣＣＨにマッピングされた送達確認情報（ＡＣＫ／ＮＡＣＫ）を受信する。
【００２２】
上述のＰＤＳＣＨの無線リソースは、ＰＤＣＣＨにより通知されるため、動的に割り当てられる。また、上述のＰＵＣＣＨの無線リソースは、上述のＰＤＣＣＨの無線リソース番号と関連付けられる（非特許文献３）。そして、かかるＰＤＣＣＨの無線リソースは、動的に割り当てられるため、結果として、かかるＰＵＣＣＨの無線リソースも動的に割り当てられる。
【００２３】
すなわち、ＬＴＥ方式の移動通信システムにおける通常の下りスケジューリング（Ｄｙｎａｍｉｃスケジューリング）では、無線基地局ｅＮＢが、移動局ＵＥに対して、ＰＤＣＣＨによって、当該移動局ＵＥ宛ての下りデータを送信するための下り無線リソース及び当該下りデータに対する送達確認情報を送信するための上り無線リソースを動的に割り当てるように構成されている。
【００２４】
また、上述のＤｙｎａｍｉｃスケジューリングでは、ＰＤＣＣＨ用信号及びＰＤＳＣＨ用信号が送信されるサブフレームと、ＰＵＣＣＨ用信号が送信されるサブフレームとの間の時間差は固定である。
【００２５】
一方、ＶｏＩＰ等を実現するために検討されている「Ｐｅｒｓｉｓｔｅｎｔスケジューリング」では、無線基地局ｅＮＢは、ＰＤＣＣＨを介して下りスケジューリング情報を移動局ＵＥに対して送信したサブフレーム（第１割当開始時点）を起点として、上述の下り無線リソース（ＰＤＳＣＨ）を、第１周期で固定的に当該移動局に割り当て、上述の上り無線リソース（ＰＵＣＣＨ）を、上位レイヤ（ＲＲＣ：Ｒａｄｉｏ  Ｒｅｓｏｕｒｃｅ  Ｃｏｎｔｒｏｌ）シグナリングにより固定的に当該移動局ＵＥに割り当てるように構成されている。
【００２６】
「Ｐｅｒｓｉｓｔｅｎｔスケジューリング」においては、初回送信のみＰＤＣＣＨを介して下りスケジューリング情報が送信され、それ以降の送信においてはＰＤＣＣＨを介して下りスケジューリング情報が送信されないため、上述した「Ｄｙｎａｍｉｃスケジューリング」のように、ＰＵＣＣＨの無線リソースを、ＰＤＣＣＨの無線リソース番号と関連付けるといった方法を適用することができない。
【００２７】
よって、「Ｐｅｒｓｉｓｔｅｎｔスケジューリング」における上り無線リソース（ＰＵＣＣＨ）は、上位レイヤ（ＲＲＣ）シグナリングにより固定的に当該移動局ＵＥに割り当てられる。
【００２８】
ここで、上り無線リソースとは、例えば、コード多重におけるコードリソースや、周波数多重における周波数リソースである。
【００２９】
周波数リソースは、ＰＵＣＣＨが送信されるリソースブロック（サブキャリアの集合）のリソースブロック番号により指定されてもよい。
【００３０】
また、１リソースブロック内で複数の送達確認情報が多重される場合に、上り無線リソースは、所定の識別番号により指定されてもよい。例えば、識別番号により、ＣＡＺＡＣ系列のサイクリックシフトによる多重におけるサイクリックシフト量やブロック拡散における直交カバー番号が指定されてもよい（非特許文献４）。
【００３１】
なお、一般に、ＨＡＲＱにおいては、上述の下り無線リソース（ＰＤＳＣＨ）が割り当てられる時点と上述の上り無線リソース（ＰＵＣＣＨ）が割り当てられる時点との時間差は固定であり、ＰＤＣＣＨにより第１割当開始時点が指定されることにより、ＰＵＣＣＨの送信タイミングは一意に決定される。
【００３２】
図９の例では、２０ｍｓを周期として、上述の下り無線リソース（ＰＤＳＣＨ）が固定的に割り当てられており、各下り無線リソース（ＰＤＳＣＨ）に対して、上述の上り無線リソース（ＰＵＣＣＨ）が固定的に割り当てられている。
【００３３】
すなわち、サブフレーム＃３、＃２３、…において、下り無線リソース（ＰＤＳＣＨ）が固定的に割り当てられており、送達確認情報が、サブフレーム＃７、＃２７、…において送信される。
【００３４】
なお、図９の例におけるサブフレーム＃３においては、ＰＤＣＣＨにより、第１割当開始時点が指定されている。
【先行技術文献】
【特許文献】
【００３５】
【特許文献１】３ＧＰＰ  ＴＳ３６.２１１（Ｖ８.１.０）、“Ｐｈｙｓｉｃａｌ  Ｃｈａｎｎｅｌ  ａｎｄ  Ｍｏｄｕｌａｔｉｏｎ”、２００７年１１月
【非特許文献２】３ＧＰＰ  ＴＳ３６.３００（Ｖ８.３.０）、“Ｅ−ＵＴＲＡ  ａｎｄ  Ｅ−ＵＴＲＡＮ  Ｏｖｅｒａｌｌ  ｄｅｓｃｒｉｐｔｉｏｎ”、２００７年１１月
【非特許文献３】３ＧＰＰ  ＴＳ３６．２１３（Ｖ８．１．０）、“Ｐｈｙｓｉｃａｌ  ｌａｙｅｒ  Ｐｒｏｃｅｄｕｒｅｓ”、２００７年１１月
【非特許文献４】Ｒ１−０８００３５、“Ｊｏｉｎｔ  ｐｒｏｐｏｓａｌ  ｏｎ  ｕｐｌｉｎｋ  ＡＣＫ／ＮＡＣＫ  ｃｈａｎｎｅｌｉｚａｔｉｏｎ”、２００８年１月
【発明の概要】
【発明が解決しようとする課題】
【００３６】
ここで、従来では、上述の下り無線リソース（ＰＤＳＣＨ）が割り当てられる時点と上述の上り無線リソース（ＰＵＣＣＨ）が割り当てられる時点との時間差とが所定期間（例えば、４サブフレーム）となるように規定されている。
【００３７】
したがって、「Ｐｅｒｓｉｓｔｅｎｔスケジューリング」にて割り当てられる下り無線リソース（ＰＤＳＣＨ）のタイミングを変更した場合、上り無線リソース（ＰＵＣＣＨ）が割り当てられているタイミングも、同様に変更されてしまう。
【００３８】
なお、上り無線リソース（ＰＵＣＣＨ）が割り当てられるタイミングが変わった場合にも、上述したように、Ｐｅｒｓｉｓｔｅｎｔスケジューリングでは、コード多重におけるコードリソースや、周波数多重における周波数リソースといった、上り無線リソース（ＰＵＣＣＨ）が上位レイヤシグナリングにより固定的に当該移動局ＵＥに割り当てられているため、上記コードリソースや周波数リソースといった上り無線リソース（ＰＵＣＣＨ）は変更されない。
【００３９】
この時、タイミングが変更された先の上り無線リソース（ＰＵＣＣＨ）が、既に他の移動局ＵＥにより使用されている場合には、変更後の上り無線リソース（ＰＵＣＣＨ）と、他の移動局ＵＥの上り無線リソース（ＰＵＣＣＨ）とが衝突するため、上述の「Ｐｅｒｓｉｓｔｅｎｔスケジューリング」にて割り当てられる下り無線リソース（ＰＤＳＣＨ）のタイミングを変更するという処理そのものができないという問題点があった。
【００４０】
言い換えれば、上述の下り無線リソース（ＰＤＳＣＨ）が割り当てられる時点と上述の上り無線リソース（ＰＵＣＣＨ）が割り当てられる時点との時間差が固定であり、かつ、上り無線リソース（ＰＵＣＣＨ）が事前に設定されているため、「Ｐｅｒｓｉｓｔｅｎｔスケジューリング」にて割り当てられる下り無線リソース（ＰＤＳＣＨ）のタイミングを自由に変更できないという問題点があった。
【００４１】
そこで、本発明は、上述の課題に鑑みてなされたものであり、「Ｐｅｒｓｉｓｔｅｎｔスケジューリング」にて割り当てられる下り無線リソース（ＰＤＳＣＨ）のタイミングを柔軟に設定することができる移動通信方法、移動局及び無線基地局を提供することを目的とする。
【課題を解決するための手段】
【００４２】
本発明の第１の特徴は、移動局が、第１割当開始時点を起点として第１周期で固定的に割り当てられている下り無線リソースを用いて、無線基地局から送信された下りデータを受信し、固定的に割り当てられている上り無線リソースを用いて該下りデータに対する送達確認情報を送信する移動通信方法であって、前記無線基地局が、前記移動局に対して、前記第１周期と、前記上り無線リソースに関する第１情報とを通知する工程Ａと、前記移動局が、前記無線基地局から固定的割当信号を受信した場合に、前記第１割当開始時点を決定し、該第１割当開始時点を起点として前記下り無線リソースを介した前記下りデータの受信と、前記上り無線リソースを介した前記送達確認情報の送信とを行う工程Ｂとを有し、前記工程Ｂにおいて、前記上り無線リソースに関する第１情報と、前記固定的割当信号内に含まれる前記上り無線リソースに関する第２情報とに基づいて前記上り無線リソースを決定し、決定された該上り無線リソースを介して前記送達確認情報の送信を行うことを要旨とする。
【００４３】
本発明の第１の特徴において、前記工程Ａにおいて、前記上り無線リソースに関する情報は、リソースブロックの識別番号、ブロック拡散の直交カバー系列の番号及びＣＡＺＡＣ系列のサイクリックシフト量を指定する識別番号であってもよい。
【００４４】
本発明の第１の特徴において、前記上り無線リソースに関する第１情報により、前記上り無線リソースに関する一部の情報が通知され、前記上り無線リソースに関する第２情報により、前記上り無線リソースに関する残りの情報が通知されてもよい。
【００４５】
本発明の第１の特徴において、前記上り無線リソースに関する第１情報は、リソースブロックの識別番号であり、前記上り無線リソースに関する第２情報は、ブロック拡散の直交カバー系列の番号及びＣＡＺＡＣ系列のサイクリックシフト量であってもよい。
【００４６】
本発明の第１の特徴において、前記工程Ｂにおいて、前記固定的割当信号の信号フォーマット、及び、動的に下り無線リソースが割り当てられるスケジューリングで用いられる動的割当信号の信号フォーマットが同一である場合に、該動的割当信号における電力制御用コマンド又はＨＡＲＱのＲｅｄｕｎｄａｎｃｙ  Ｖｅｒｓｉｏｎを指定するビットにより、前記上り無線リソースに関する第２情報が通知されてもよい。
【００４７】
本発明の第２の特徴は、第１割当開始時点を起点として第１周期で固定的に割り当てられている下り無線リソースを用いて、無線基地局から送信された下りデータを受信し、固定的に割り当てられている上り無線リソースを用いて該下りデータに対する送達確認情報を送信するように構成されている移動局であって、前記無線基地局から、前記第１周期と、前記上り無線リソースに関する第１情報とを受信するように構成されている固定的通信情報受信部と、前記無線基地局から固定的割当信号を受信した場合に、前記第１割当開始時点を決定し、該第１割当開始時点を起点として前記下り無線リソースを介した前記下りデータの受信と、前記上り無線リソースを介した前記送達確認情報の送信を行うように構成されている通信部とを具備し、前記通信部は、前記上り無線リソースに関する第１情報と前記固定的割当信号内に含まれる前記上り無線リソースに関する第２情報とに基づいて前記上り無線リソースを決定し、決定された該上り無線リソースを介して前記送達確認情報の送信を行うように構成されていることを要旨とする。
【００４８】
本発明の第２の特徴において、前記上り無線リソースに関する情報は、リソースブロックの識別番号、ブロック拡散の直交カバー系列の番号及びＣＡＺＡＣ系列のサイクリックシフト量を指定する識別番号であってもよい。
【００４９】
本発明の第２の特徴において、前記上り無線リソースに関する第１情報により、前記上り無線リソースに関する一部の情報が通知され、前記上り無線リソースに関する第２情報により、前記上り無線リソースに関する残りの情報が通知されてもよい。
【００５０】
本発明の第２の特徴において、前記上り無線リソースに関する第１情報は、リソースブロックの識別番号であり、前記上り無線リソースに関する第２情報は、ブロック拡散の直交カバー系列の番号及びＣＡＺＡＣ系列のサイクリックシフト量であってもよい。
【００５１】
本発明の第２の特徴において、前記固定的割当信号の信号フォーマット、及び、動的に下り無線リソースが割り当てられるスケジューリングで用いられる動的割当信号の信号フォーマットが同一である場合に、前記通信部は、該動的割当信号における電力制御用コマンド又はＨＡＲＱのＲｅｄｕｎｄａｎｃｙ  Ｖｅｒｓｉｏｎを指定するビットに基づいて、前記上り無線リソースに関する第２情報を取得するように構成されていてもよい。
【００５２】
本発明の第３の特徴は、移動局が、第１割当開始時点を起点として第１周期で固定的に割り当てられている下り無線リソースを用いて、無線基地局から送信された下りデータを受信し、固定的に割り当てられている上り無線リソースを用いて該下りデータに対する送達確認情報を送信する移動通信システムで用いられる無線基地局であって、前記移動局に対して、前記第１周期と、前記上り無線リソースに関する第１情報とを通知するように構成されている固定的通信情報送信部と、前記移動局に対して、固定的割当信号を送信するように構成されている固定的割当信号送信部と、前記固定的割当信号により決定される前記第１割当開始時点を起点とした前記下り無線リソースを介した前記下りデータの送信及び前記上り無線リソースを介した前記送達確認情報の受信を行うように構成されている通信部とを具備し、前記通信部は、前記上り無線リソースに関する第１情報と、前記固定的割当信号内に含まれる、前記上り無線リソースに関する第２情報とに基づいて前記上り無線リソースを決定し、決定された該上り無線リソースを介して前記送達確認情報の受信を行うように構成されていることを要旨とする。
【００５３】
本発明の第３の特徴において、前記上り無線リソースに関する情報は、リソースブロックの識別番号、ブロック拡散の直交カバー系列の番号及びＣＡＺＡＣ系列のサイクリックシフト量を指定する識別番号であってもよい。
【００５４】
本発明の第３の特徴において、前記上り無線リソースに関する第１情報により、前記上り無線リソースに関する一部の情報が通知され、前記上り無線リソースに関する第２情報により、前記上り無線リソースに関する残りの情報が通知されてもよい。
【００５５】
本発明の第３の特徴において、前記上り無線リソースに関する第１情報は、リソースブロックの識別番号であり、前記上り無線リソースに関する第２情報は、ブロック拡散の直交カバー系列の番号及びＣＡＺＡＣ系列のサイクリックシフト量であってもよい。
【００５６】
本発明の第３の特徴において、前記固定的割当信号の信号フォーマット、及び、動的に下り無線リソースが割り当てられるスケジューリングで用いられる動的割当信号の信号フォーマットが同一である場合に、前記通信部は、前記動的割当信号における電力制御用コマンド又はＨＡＲＱのＲｅｄｕｎｄａｎｃｙ  Ｖｅｒｓｉｏｎを指定するビットにより、前記上り無線リソースに関する第２情報を通知するように構成されていてもよい。
【００５７】
本発明の第３の特徴において、前記固定的割当信号送信部は、前記上り無線リソースが他の移動局に割り当てられている上り無線リソースに衝突しないように、前記上り無線リソースに関する第２情報を設定するように構成されていてもよい。
【発明の効果】
【００５８】
以上説明したように、本発明によれば、「Ｐｅｒｓｉｓｔｅｎｔスケジューリング」にて割り当てられる下り無線リソース（ＰＤＳＣＨ）のタイミングを柔軟に設定することができる移動通信方法、移動局及び無線基地局を提供することができる。
【図面の簡単な説明】
【００５９】
【図１】本発明の第１の実施形態に係る移動局の機能ブロック図である。
【図２】本発明の第１の実施形態に係る移動通信システムにおいて行われるスケジューリングについて説明するための図である。
【図３】本発明の第１の実施形態に係る移動通信システムにおいて行われる上り無線リソース（ＰＵＣＣＨ）の決定方法について説明するための図である。
【図４】本発明の第１の実施形態に係る無線基地局の機能ブロック図である。
【図５】本発明の第１の実施形態に係る移動通信システムにおいて行われる上り無線リソース（ＰＵＣＣＨ）に関する第２情報の内容を決定する方法について説明するための図である。
【図６】本発明の第１の実施形態に係る移動局の動作を示すフローチャートである。
【図７】本発明の第１の実施形態に係る無線基地局の動作を示すフローチャートである。
【図８】一般的なＬＴＥ方式の移動通信システムにおけるスケジューリングについて設定するための図である。
【図９】一般的なＬＴＥ方式の移動通信システムにおけるスケジューリングについて設定するための図である。
【発明を実施するための形態】
【００６０】
（本発明の第１の実施形態に係る移動通信システムの構成）
図１及び図２を参照して、本発明の第１の実施形態に係る移動通信システムの構成について説明する。なお、本実施形態では、ＬＴＥ方式の移動通信システムを例に挙げて説明するが、本発明は、他方式の移動通信システムにも適用可能である。
【００６１】
また、本実施形態に係る移動通信システムでは、移動局ＵＥが、第１割当開始時点を起点として第１周期で固定的に割り当てられているＰＤＳＣＨ（下り無線リソース）を用いて、無線基地局ｅＮＢから送信された下りデータを受信し、ＰＵＣＣＨ（上り無線リソース）を用いて当該下りデータに対する送達確認情報（ＡＣＫ/ＮＡＣＫ）を送信するように構成されている。
【００６２】
ここで、下りデータの受信タイミングと送達確認情報の送信タイミングとの時間差は固定されている。
【００６３】
図１に示すように、移動局ＵＥは、Ｐｅｒｓｉｓｔｅｎｔ情報受信部１１と、Ｐｅｒｓｉｓｔｅｎｔ割当信号受信部１２と、下りデータ受信部１３と、ＡＣＫ/ＮＡＣＫ送信部１４とを具備している。
【００６４】
Ｐｅｒｓｉｓｔｅｎｔ情報受信部１１は、無線基地局ｅＮＢから、上述の第１周期と上り無線リソース（ＰＵＣＣＨ）に関する第１情報とを含むＰｅｒｓｉｓｔｅｎｔ情報（固定的通信情報）を受信するように構成されている。
【００６５】
具体的には、Ｐｅｒｓｉｓｔｅｎｔ情報受信部１１は、無線基地局ｅＮＢによって送信されたＲＲＣメッセージに基づいて、上述のＰｅｒｓｉｓｔｅｎｔ情報を取得するように構成されている。
【００６６】
尚、後述するように、本発明の第１の実施形態に係る移動通信システムにおいては、上り無線リソース（ＰＵＣＣＨ）に関する情報は、前記上り無線リソース（ＰＵＣＣＨ）に関する第１情報と前記上り無線リソース（ＰＵＣＣＨ）に関する第２情報とにより構成されており、無線基地局ｅＮＢから移動局ＵＥに通知される。
【００６７】
前記上り無線リソース（ＰＵＣＣＨ）に関する第２情報は、後述するように、固定的割当信号、すなわち、「Ｐｅｒｓｉｓｔｅｎｔスケジューリング」用のＰＤＳＣＨ（下り無線リソース）の固定的な割り当てを指示するＰＤＣＣＨにより通知される。
【００６８】
ここで、上り無線リソース（ＰＵＣＣＨ）に関する情報とは、例えば、ＰＵＣＣＨが送信されるリソースブロック（サブキャリアの集合）のリソースブロック番号や、１リソースブロック内で複数の送達確認情報が多重される場合の識別番号のことである。
【００６９】
例えば、かかる識別番号により、ＣＡＺＡＣ系列のサイクリックシフトによる多重におけるサイクリックシフト量やブロック拡散における直交カバー番号が指定されてもよい。
【００７０】
そして、前記上り無線リソース（ＰＵＣＣＨ）に関する情報の内、一部の情報が、Ｐｅｒｓｉｓｔｅｎｔ情報（固定的通信情報）により通知され、残りの情報が、後述するように、固定的割当信号により通知される。
【００７１】
尚、前記Ｐｅｒｓｉｓｔｅｎｔ情報は、例えば、ＲＲＣメッセージであり、前記固定的割当信号は、「Ｐｅｒｓｉｓｔｅｎｔスケジューリング」用のＰＤＳＣＨ（下り無線リソース）の固定的な割り当てを指示するＰＤＣＣＨのことである。
【００７２】
尚、より具体的には、例えば、前記上り無線リソース（ＰＵＣＣＨ）に関する情報の内、ＰＵＣＣＨが送信されるリソースブロック（サブキャリアの集合）のリソースブロック番号が、前記Ｐｅｒｓｉｓｔｅｎｔ情報（固定的通信情報）により通知され、残りの情報、すなわち、１リソースブロック内で複数の送達確認情報が多重される場合の識別番号が、後述するように、固定的割当信号により通知されてもよい。
【００７３】
尚、前記識別番号とは、例えば、ＣＡＺＡＣ系列のサイクリックシフトによる多重におけるサイクリックシフト量やブロック拡散における直交カバー番号である。
【００７４】
尚、上述した例は、あくまで一例であり、前記上り無線リソース（ＰＵＣＣＨ）に関する情報の内、１リソースブロック内で複数の送達確認情報が多重される場合の識別番号が、前記Ｐｅｒｓｉｓｔｅｎｔ情報（固定的通信情報）により通知され、残りの情報、すなわち、ＰＵＣＣＨが送信されるリソースブロック（サブキャリアの集合）のリソースブロック番号が、固定的割当信号により通知されてもよい。
【００７５】
或いは、それ以外の分け方で、上り無線リソース（ＰＵＣＣＨ）に関する情報の一部が、前記Ｐｅｒｓｉｓｔｅｎｔ情報（固定的通信情報）により通知され、残りの情報が、固定的割当信号により通知されてもよい。
【００７６】
なお、上述した上り無線リソース（ＰＵＣＣＨ）に関する情報とは、無線リソースを識別することが可能な情報であれば、どのような形態をとってもよい。
【００７７】
例えば、上り無線リソース（ＰＵＣＣＨ）に関する情報は、上述したコード多重におけるコードリソースの識別番号であってもよいし、周波数多重における周波数リソースの識別番号であってもよいし、時間多重における時間リソースの識別番号であってもよいし、或いは、上述のコード多重、周波数多重、時間多重のハイブリッド方式による多重におけるリソースの識別番号であってもよい。
【００７８】
尚、この場合にも、上り無線リソース（ＰＵＣＣＨ）に関する一部の情報が、前記Ｐｅｒｓｉｓｔｅｎｔ情報（固定的通信情報）により通知され、残りの情報が、固定的割当信号により通知される。
【００７９】
より具体的には、例えば、時間多重及び周波数多重のハイブリッド方式による多重が行われている場合に、時間多重におけるリソースの識別番号が、前記Ｐｅｒｓｉｓｔｅｎｔ情報（固定的通信情報）により通知され、周波数多重におけるリソースの識別番号が、固定的割当信号により通知されてもよいし、その逆でもよい。
【００８０】
或いは、例えば、時間多重及びコード多重のハイブリッド方式による多重が行われている場合に、時間多重におけるリソースの識別番号が、前記Ｐｅｒｓｉｓｔｅｎｔ情報（固定的通信情報）により通知され、コード多重におけるリソースの識別番号が、固定的割当信号により通知されてもよいし、その逆でもよい。
【００８１】
或いは、例えば、周波数多重及びコード多重のハイブリッド方式による多重が行われている場合に、周波数多重におけるリソースの識別番号が、前記Ｐｅｒｓｉｓｔｅｎｔ情報（固定的通信情報）により通知され、コード多重におけるリソースの識別番号が、固定的割当信号により通知されてもよいし、その逆でもよい。
【００８２】
また、上述した例においては、前記上り無線リソース（ＰＵＣＣＨ）に関する情報の内、一部の情報が、Ｐｅｒｓｉｓｔｅｎｔ情報（固定的通信情報）により通知され、残りの情報が、固定的割当信号により通知される場合を示したが、Ｐｅｒｓｉｓｔｅｎｔ情報（固定的通信情報）により通知される情報と、固定的割当信号により通知される情報は、排他的である必要はなく、一部が重複していてもよいし、全てが重複していてもよい。
【００８３】
また、かかる上り無線リソース（ＰＵＣＣＨ）に関する情報は、ＡＣＫ／ＮＡＣＫ送信部１４に与えられる。
【００８４】
なお、ＬＴＥ方式の移動通信システムでは、かかるＰｅｒｓｉｓｔｅｎｔ情報には、上述の第１割当開始時点についての情報は含まれていない。
【００８５】
これは、無線基地局ｅＮＢが、上述のＰＤＳＣＨ（下り無線リソース）の割り当てを行う時間リソースについて柔軟に決定できるようにすることによって、「Ｐｅｒｓｉｓｔｅｎｔスケジューリング」を適用した時に無線リソースの利用効率の向上を図るためである。
【００８６】
また、上り無線リソース（ＰＵＣＣＨ）の送信タイミングに関しては、上述の下り無線リソース（ＰＤＳＣＨ）の受信タイミングと、固定的に定義された時間オフセットとに基づいて一意に決定されるため、Ｐｅｒｓｉｓｔｅｎｔ情報として含まれる必要はない。
【００８７】
例えば、上り無線リソース（ＰＵＣＣＨ）の送信タイミングは、
（上り無線リソース（ＰＵＣＣＨ）の送信タイミング）
＝（下り無線リソース（ＰＤＳＣＨ）の受信タイミング）＋４ｍｓ
と定義されてもよい。
【００８８】
なお、上述した４ｍｓという値は、一例であり、４ｍｓ以外の値であってもよい。或いは、４ｍｓは、４サブフレームと表現されてもよい。
【００８９】
Ｐｅｒｓｉｓｔｅｎｔ割当信号受信部１２は、無線基地局ｅＮＢから固定的割当信号を受信するように構成されている。
【００９０】
具体的には、Ｐｅｒｓｉｓｔｅｎｔ割当信号受信部１２は、無線基地局ｅＮＢから、固定的割当信号として、「Ｐｅｒｓｉｓｔｅｎｔスケジューリング」用のＰＤＳＣＨ（下り無線リソース）の固定的な割り当てを指示するＰＤＣＣＨを受信するように構成されている。
【００９１】
例えば、Ｐｅｒｓｉｓｔｅｎｔ割当信号受信部１２は、ＰＤＣＣＨに設定されているＲＮＴＩ等に基づいて、「Ｐｅｒｓｉｓｔｅｎｔスケジューリング」用のＰＤＳＣＨ（下り無線リソース）の固定的な割り当てを指示するＰＤＣＣＨであるのか、或いは、通常の下りスケジューリング用のＰＤＳＣＨ（下り無線リソース）を動的に割り当てるＰＤＣＣＨであるのかについて判定するように構成されていてもよい。
【００９２】
また、Ｐｅｒｓｉｓｔｅｎｔ割当信号受信部１２は、ＰＤＣＣＨ内の特定の１ビットに基づいて、「Ｐｅｒｓｉｓｔｅｎｔスケジューリング」用のＰＤＳＣＨ（下り無線リソース）の固定的な割り当てを指示するＰＤＣＣＨであるのか、或いは、通常の下りスケジューリング用のＰＤＳＣＨ（下り無線リソース）を動的に割り当てるＰＤＣＣＨであるのかについて判定するように構成されていてもよい。
【００９３】
或いは、Ｐｅｒｓｉｓｔｅｎｔ割当信号受信部１２は、ＰＤＣＣＨ内の情報要素の一部が、「Ｐｅｒｓｉｓｔｅｎｔスケジューリング」用のＰＤＳＣＨ（下り無線リソース）の固定的な割り当てを指示するＰＤＣＣＨであるのか、或いは、通常の下りスケジューリング用のＰＤＳＣＨ（下り無線リソース）を動的に割り当てるＰＤＣＣＨであるのかを示すように構成されている場合に、前記ＰＤＣＣＨ内の情報要素の一部に基づいて、「Ｐｅｒｓｉｓｔｅｎｔスケジューリング」用のＰＤＳＣＨ（下り無線リソース）の固定的な割り当てを指示するＰＤＣＣＨであるのか、或いは、通常の下りスケジューリング用のＰＤＳＣＨ（下り無線リソース）を動的に割り当てるＰＤＣＣＨであるのかについて判定するように構成されていてもよい。
【００９４】
また、固定的割当信号には、「Ｐｅｒｓｉｓｔｅｎｔスケジューリング」用のＰＤＳＣＨ（下り無線リソース）の固定的な割り当てを指示する情報に加えて、上り無線リソース（ＰＵＣＣＨ）に関する第２情報が含まれる。
【００９５】
ここで、上り無線リソース（ＰＵＣＣＨ）に関する第２情報とは、例えば、ＰＵＣＣＨ（上り無線リソース）のリソースブロック番号や、１リソースブロック内で複数の送達確認情報が多重される場合の識別番号を示す情報である。
【００９６】
より具体的には、上述したように、上り無線リソース（ＰＵＣＣＨ）に関する情報の内、Ｐｅｒｓｉｓｔｅｎｔ情報（固定的通信情報）により通知された情報（上り無線リソース（ＰＵＣＣＨ）に関する第１情報）以外の情報が、上り無線リソース（ＰＵＣＣＨ）に関する第２情報である。
【００９７】
すなわち、前記上り無線リソース（ＰＵＣＣＨ）に関する情報の内、一部の情報が、Ｐｅｒｓｉｓｔｅｎｔ情報（固定的通信情報）により通知され、残りの情報が、上記固定的割当信号により通知される。
【００９８】
尚、前記Ｐｅｒｓｉｓｔｅｎｔ情報は、例えば、ＲＲＣメッセージであり、前記固定的割当信号は、「Ｐｅｒｓｉｓｔｅｎｔスケジューリング」用のＰＤＳＣＨ（下り無線リソース）の固定的な割り当てを指示するＰＤＣＣＨのことである。
【００９９】
尚、より具体的には、例えば、前記上り無線リソース（ＰＵＣＣＨ）に関する情報の内、ＰＵＣＣＨが送信されるリソースブロック（サブキャリアの集合）のリソースブロック番号が、前記Ｐｅｒｓｉｓｔｅｎｔ情報（固定的通信情報）により通知され、残りの情報、すなわち、１リソースブロック内で複数の送達確認情報が多重される場合の識別番号が、前記固定的割当信号により通知されてもよい。
【０１００】
尚、前記識別番号とは、例えば、ＣＡＺＡＣ系列のサイクリックシフトによる多重におけるサイクリックシフト量やブロック拡散における直交カバー番号である。
【０１０１】
尚、上述した例は、あくまで一例であり、前記上り無線リソース（ＰＵＣＣＨ）に関する情報の内、１リソースブロック内で複数の送達確認情報が多重される場合の識別番号が、前記Ｐｅｒｓｉｓｔｅｎｔ情報（固定的通信情報）により通知され、残りの情報、すなわち、ＰＵＣＣＨが送信されるリソースブロック（サブキャリアの集合）のリソースブロック番号が、前記固定的割当信号により通知されてもよい。
【０１０２】
或いは、それ以外の分け方で、上り無線リソース（ＰＵＣＣＨ）に関する情報の一部が、前記Ｐｅｒｓｉｓｔｅｎｔ情報（固定的通信情報）により通知され、残りの情報が、前記固定的割当信号により通知されてもよい。
【０１０３】
前記上り無線リソース（ＰＵＣＣＨ）に関する第２情報の詳細については後述する。
【０１０４】
かかる上り無線リソース（ＰＵＣＣＨ）に関する第２情報は、ＡＣＫ／ＮＡＣＫ送信部１４に与えられる。
【０１０５】
下りデータ受信部１３は、ＰＤＣＣＨによって割り当てられたＰＤＳＣＨ（下り無線リソース）を介して送信される下りデータを受信するように構成されている。
【０１０６】
具体的には、下りデータ受信部１３は、Ｐｅｒｓｉｓｔｅｎｔ割当信号受信部１２によって上述のＰｅｒｓｉｓｔｅｎｔ割当信号（固定的割当信号）が受信された場合に、かかるＰＤＣＣＨを受信したサブフレームを上述の第１割当開始時点として決定し、該第１割当開始時点を起点として上述の第１周期で固定的に「Ｐｅｒｓｉｓｔｅｎｔスケジューリング」用のＰＤＳＣＨ（下り無線リソース）を介した下りデータの受信を行うように構成されている。
【０１０７】
図２の例では、サブフレーム＃３において、Ｐｅｒｓｉｓｔｅｎｔ割当信号受信部１２が、ＰＤＣＣＨを介して上述のＰｅｒｓｉｓｔｅｎｔ割当信号を受信したため、下りデータ受信部１３は、当該ＰＤＣＣＨによって指定されたサブフレーム＃３内のリソースブロック（サブキャリアの集合）にマッピングされているＰＤＳＣＨ（下り無線リソース）を介して、下りデータを受信するように構成されている。
【０１０８】
また、下りデータ受信部１３は、サブフレーム＃３を先頭として、２０ｍｓの周期で当該ＰＤＣＣＨによって指定されたリソースブロック（サブキャリアの集合）にマッピングされているＰＤＳＣＨ（下り無線リソース）を介して、下りデータを受信するように構成されている。
【０１０９】
すなわち、下りデータ受信部１３は、サブフレーム＃３、＃２３、＃４３、…において、当該ＰＤＣＣＨによって指定されたリソースブロック（サブキャリアの集合）にマッピングされているＰＤＳＣＨ（下り無線リソース）を介して、下りデータを受信するように構成されている。
【０１１０】
ＡＣＫ／ＮＡＣＫ送信部１４は・BR>AＰｅｒｓｉｓｔｅｎｔ情報受信部１１より、前記Ｐｅｒｓｉｓｔｅｎｔ情報によって通知された上り無線リソース（ＰＵＣＣＨ）に関する第１情報を受け取る。
【０１１１】
また、ＡＣＫ／ＮＡＣＫ送信部１４は、Ｐｅｒｓｉｓｔｅｎｔ割当信号受信部１２より、前記固定的割当信号によって通知された上り無線リソース（ＰＵＣＣＨ）に関する第２情報を受け取る。
【０１１２】
ＡＣＫ/ＮＡＣＫ送信部１４は、前記Ｐｅｒｓｉｓｔｅｎｔ情報によって通知された上り無線リソース（ＰＵＣＣＨ）に関する第１情報と、前記固定的割当信号によって通知された上り無線リソース（ＰＵＣＣＨ）に関する第２情報とに基づいて、上り無線リソース（ＰＵＣＣＨ）を決定し、前記上り無線リソース（ＰＵＣＣＨ）を介して、受信した下りデータに対する送達確認情報（ＡＣＫ/ＮＡＣＫ）を送信するように構成されている。上記送達確認情報（ＡＣＫ／ＮＡＣＫ）は、下りデータ受信部１３における下りデータの復号結果に基づいて決定される。
【０１１３】
以下に、図３を用いて、上述した前記Ｐｅｒｓｉｓｔｅｎｔ情報によって通知された上り無線リソース（ＰＵＣＣＨ）に関する第１情報と、前記固定的割当信号によって通知された上り無線リソース（ＰＵＣＣＨ）に関する第２情報とに基づく上り無線リソース（ＰＵＣＣＨ）の決定方法の例を示す。
【０１１４】
図３においては、上り無線リソース（ＰＵＣＣＨ）として、２個のリソースブロックが定義され、そのリソースブロック番号として、＃０、＃１が定義されている。
【０１１５】
また、１つのリソースブロック内に８個の無線リソースが定義され、その識別番号として、＃０、＃１、＃２、…、＃７が定義されている。例えば、かかる識別番号は、上述した１リソースブロック内で複数の送達確認情報が多重される場合の識別番号であってもよい。
【０１１６】
ここで、前記Ｐｅｒｓｉｓｔｅｎｔ情報によって通知された上り無線リソース（ＰＵＣＣＨ）に関する第１情報により、リソースブロック番号＃１が指定され、かつ、前記固定的割当信号によって通知された上り無線リソース（ＰＵＣＣＨ）に関する第２情報により、識別番号＃５が指定される場合を考える。
【０１１７】
この場合、ＡＣＫ/ＮＡＣＫ送信部１４は、リソースブロック番号＃１で、かつ、前記リソースブロック内の識別番号＃５の無線リソースを、受信した下りデータに対する送達確認情報（ＡＣＫ/ＮＡＣＫ）を送信するための無線リソース、すなわち、上り無線リソース（ＰＵＣＣＨ）として決定する。
【０１１８】
すなわち、前記Ｐｅｒｓｉｓｔｅｎｔ情報によって通知された上り無線リソース（ＰＵＣＣＨ）に関する第１情報と、前記固定的割当信号によって通知された上り無線リソース（ＰＵＣＣＨ）に関する第２情報とに基づき、受信した下りデータに対する送達確認情報
（ＡＣＫ/ＮＡＣＫ）を送信するための無線リソース、すなわち、上り無線リソース（ＰＵＣＣＨ）が決定される。
【０１１９】
言い換えれば、前記上り無線リソース（ＰＵＣＣＨ）に関する情報の一部が、前記Ｐｅｒｓｉｓｔｅｎｔ情報によって通知され、残りの情報が、前記固定的割当信号により通知され、その両方の情報に基づいて、上り無線リソース（ＰＵＣＣＨ）が決定される。
【０１２０】
なお、上述した例においては、上述の上り無線リソース（ＰＵＣＣＨ）に関する第１情報により、リソースブロック番号が通知され、上述の上り無線リソース（ＰＵＣＣＨ）に関する第２情報により、１リソースブロック内の識別情報が通知されているが、代わりに、上述の上り無線リソース（ＰＵＣＣＨ）に関する第１情報により、１リソースブロック内の識別情報が通知され、上述の上り無線リソース（ＰＵＣＣＨ）に関する第２情報により、リソースブロック番号が通知されてもよい。
【０１２１】
或いは、それ以外の分け方で、上り無線リソース（ＰＵＣＣＨ）に関する情報の一部が、上り無線リソース（ＰＵＣＣＨ）に関する第１情報として通知され、残りの情報が、上り無線リソース（ＰＵＣＣＨ）に関する第２情報として通知されてもよい。
【０１２２】
なお、１リソースブロック内の識別情報とは、例えば、ＣＡＺＡＣ系列のサイクリックシフトによる多重におけるサイクリックシフト量やブロック拡散における直交カバー番号である。
【０１２３】
或いは、上記以外のリソースを識別するための複数の識別番号が定義され、上述の上り無線リソース（ＰＵＣＣＨ）に関する第１情報により、かかる複数の識別番号の一部が通知され、上述の上り無線リソース（ＰＵＣＣＨ）に関する第１情報により、かかる複数の識別番号の内の残りが通知されてもよい。
【０１２４】
また、上述した例においては、１つのリソースブロック内に８個の無線リソースが定義されているが、８個以外の無線リソースが定義されている場合にも同様の上り無線リソース（ＰＵＣＣＨ）の決定方法を適用することが可能である。
【０１２５】
或いは、上述した例においては、２つのリソースブロックが定義されているが、１つのリソースブロック、又は、３つ以上のリソースブロックが定義されていてもよい。
【０１２６】
或いは、上述した例においては、前記Ｐｅｒｓｉｓｔｅｎｔ情報によって通知された上り無線リソース（ＰＵＣＣＨ）に関する第１情報と、固定的割当信号によって通知された上り無線リソース（ＰＵＣＣＨ）に関する第２情報とに基づいて、前記上り無線リソース（ＰＵＣＣＨ）が決定されたが、代わりに、前記Ｐｅｒｓｉｓｔｅｎｔ情報によっては、上り無線リソース（ＰＵＣＣＨ）に関する第１情報は通知されず、ＰＤＣＣＨによって、上り無線リソース（ＰＵＣＣＨ）に関する第２情報が通知され、前記上り無線リソース（ＰＵＣＣＨ）に関する第２情報のみによって、前記上り無線リソース（ＰＵＣＣＨ）が決定されてもよい。
【０１２７】
この場合、ＰＤＣＣＨにおける、上り無線リソース（ＰＵＣＣＨ）に関する情報のためのビット数が大きくなるというデメリットがあるが、代わりに、より柔軟に上り無線リソース（ＰＵＣＣＨ）を設定できるというメリットがある。
【０１２８】
なお、上記例において、ＰＤＣＣＨにより通知される上り無線リソース（ＰＵＣＣＨ）に関する第２情報とは、例えば、リソースブロック番号＃１といった情報や、識別番号＃５という情報の少なくとも１つであってもよい。
【０１２９】
すなわち、ＰＤＣＣＨにより、１リソースブロック内で複数の送達確認情報が多重される場合の識別番号、又は、ＰＵＣＣＨのリソースブロック番号が通知されてもよい。
【０１３０】
ところで、前記上り無線リソース（ＰＵＣＣＨ）に関する第２情報は、Ｐｅｒｓｉｓｔｅｎｔ割当信号（固定的割当信号）により通知される情報要素の一部として定義される。
【０１３１】
ここで、例えば、Ｐｅｒｓｉｓｔｅｎｔ割当信号の信号フォーマットが、ＤｙｎａｍｉｃスケジューリングにおけるＤｙｎａｍｉｃ割当信号の信号フォーマットと同一である場合に、Ｄｙｎａｍｉｃ割当信号における送信電力制御に用いられる電力制御用コマンドのビットが、前記上り無線リソース（ＰＵＣＣＨ）に関する第２情報として用いられてもよい。
【０１３２】
Ｐｅｒｓｉｓｔｅｎｔスケジューリングにおいては、かかる送信電力制御に用いられる電力制御用コマンドを通知する意味が小さいため、送信電力制御に用いられるコマンドのビットが、前記上り無線リソース（ＰＵＣＣＨ）に関する第２情報として用いられることができる。
【０１３３】
或いは、Ｐｅｒｓｉｓｔｅｎｔ割当信号の信号フォーマットが、ＤｙｎａｍｉｃスケジューリングにおけるＤｙｎａｍｉｃ割当信号の信号フォーマットと同一である場合に、Ｄｙｎａｍｉｃ割当信号における「Ｒｅｄｕｎｄａｎｃｙ  Ｖｅｒｓｉｏｎ」を指定するビットが、前記上り無線リソース（ＰＵＣＣＨ）に関する第２情報として用いられてもよい。
【０１３４】
Ｐｅｒｓｉｓｔｅｎｔスケジューリングにおいては、かかるＲｅｄｕｎｄａｎｃｙ  Ｖｅｒｓｉｏｎを指定するビットを通知する意味が小さいため、送信電力制御に用いられる電力制御用コマンドのビットが、前記上り無線リソース（ＰＵＣＣＨ）に関する第２情報として用いられることができる。
【０１３５】
この場合、Ｒｅｄｕｄａｎｃｙ  Ｖｅｒｓｉｏｎは、予め決められたＲｅｄｕｎｄａｎｃｙ  Ｖｅｒｓｉｏｎとなる。
【０１３６】
或いは、Ｐｅｒｓｉｓｔｅｎｔ割当信号の信号フォーマットが、ＤｙｎａｍｉｃスケジューリングにおけるＤｙｎａｍｉｃ割当信号の信号フォーマットと同一である場合に、Ｄｙｎａｍｉｃ割当信号における「ＭＣＳ（Ｍｏｄｕｌａｔｉｏｎ  ａｎｄ  Ｃｏｄｉｎｇ  Ｓｃｈｅｍｅ）」を指定するビットが、前記上り無線リソース（ＰＵＣＣＨ）に関する第２情報として用いられてもよい。
【０１３７】
Ｐｅｒｓｉｓｔｅｎｔスケジューリングにおいては、かかるＭＣＳを指定するビット数が、Ｄｙｎａｍｉｃスケジューリングに比べて小さいため、かかるＭＣＳを指定するビットの一部又は全てが、前記上り無線リソース（ＰＵＣＣＨ）に関する第２情報として用いられてもよい。
【０１３８】
或いは、Ｐｅｒｓｉｓｔｅｎｔ割当信号の信号フォーマットが、ＤｙｎａｍｉｃスケジューリングにおけるＤｙｎａｍｉｃ割当信号の信号フォーマットと同一である場合に、Ｄｙｎａｍｉｃ割当信号における「Ｎｅｗ  Ｄａｔａ  Ｉｎｄｉｃａｔｏｒ」のビットが、前記上り無線リソース（ＰＵＣＣＨ）に関する第２情報として用いられてもよい。
【０１３９】
或いは、Ｐｅｒｓｉｓｔｅｎｔ割当信号の信号フォーマットが、ＤｙｎａｍｉｃスケジューリングにおけるＤｙｎａｍｉｃ割当信号の信号フォーマットと同一である場合に、Ｄｙｎａｍｉｃ割当信号における「ＲＢ  ａｓｓｉｇｎｍｅｎｔ」を指定するビットの一部又は全てが、前記上り無線リソース（ＰＵＣＣＨ）に関する第２情報として用いられてもよい。
【０１４０】
Ｐｅｒｓｉｓｔｅｎｔスケジューリングにおいては、かかるＲＢ  ａｓｓｉｇｎｍｅｎｔを指定するビット数が、Ｄｙｎａｍｉｃスケジューリングに比べて小さいため、かかるＲＢ  ａｓｓｉｇｎｍｅｎｔを指定するビットの一部又は全てが、前記上り無線リソース（ＰＵＣＣＨ）に関する第２情報として用いられてもよい。
【０１４１】
或いは、Ｐｅｒｓｉｓｔｅｎｔ割当信号の信号フォーマットが、ＤｙｎａｍｉｃスケジューリングにおけるＤｙｎａｍｉｃ割当信号の信号フォーマットと同一である場合に、前記電力制御用のコマンドのビットや、「Ｒｅｄｕｎｄａｎｃｙ Ｖｅｒｓｉｏｎ」を指定するビット、「ＭＣＳ」を指定するビット、「Ｎｅｗ  Ｄａｔａ  Ｉｎｄｉｃａｔｏｒ」のビット、「ＲＢ  ａｓｓｉｇｎｍｅｎｔ」を指定するビットの少なくとも１つ以上が、前記上り無線リソース（ＰＵＣＣＨ）に関する第２情報として用いられてもよい。
【０１４２】
この場合、ＰＤＣＣＨ内の複数の情報要素に基づいて、前記リソースの指定を行うことができるため、より柔軟なＰＵＣＣＨ（上り無線リソース）のリソース割り当てを行うことが可能となる。
【０１４３】
尚、前記Ｐｅｒｓｉｓｔｅｎｔ情報によっては、上り無線リソース（ＰＵＣＣＨ）に関する第１情報は通知されず、ＰＤＣＣＨにより上り無線リソース（ＰＵＣＣＨ）に関する第２情報のみが通知される場合には、前記電力制御用コマンドのビットや、「Ｒｅｄｕｎｄａｎｃｙ  Ｖｅｒｓｉｏｎ」を指定するビットや、「ＭＣＳ」を指定するビットや、「Ｎｅｗ  Ｄａｔａ  Ｉｎｄｉｃａｔｏｒ」のビットや、「ＲＢ  ａｓｓｉｇｎｍｅｎｔ」を指定するビットが、前記上り無線リソース（ＰＵＣＣＨ）に関する情報を通知するための信号として用いられてもよい。
【０１４４】
ここで、前記上り無線リソース（ＰＵＣＣＨ）に関する情報とは、例えば、１リソースブロック内で複数の送達確認情報が多重される場合の識別番号、又は、ＰＵＣＣＨのリソースブロック番号である。
【０１４５】
尚、上述したように、受信したＰＤＣＣＨが、Ｐｅｒｓｉｓｔｅｎｔ割当信号（固定的割当信号）であるか又はＤｙｎａｍｉｃ割当信号であるかについての識別は、例えば、ＰＤＣＣＨに設定されているＲＮＴＩ等に基づいて行われる。
【０１４６】
言い換えれば、移動局ＵＥは、Ｄｙｎａｍｉｃ  ＳｃｈｅｄｕｌｉｎｇのＲＮＴＩに関してＣＲＣが「ＯＫ」である場合には、当該ＰＤＣＣＨを、Ｄｙｎａｍｉｃ割当信号と看做し、Ｐｅｒｓｉｓｔｅｎｔ  ＳｃｈｅｄｕｌｉｎｇのＲＮＴＩに関してＣＲＣが「ＯＫ」である場合には、当該ＰＤＣＣＨを、Ｐｅｒｓｉｓｔｅｎｔ割当信号（固定的割当信号）と看做す。
【０１４７】
そして、移動局ＵＥは、当該ＰＤＣＣＨをＰｅｒｓｉｓｔｅｎｔ割当信号（固定的割当信号）と看做した場合には、上述した、前記電力制御用コマンドのビットや、「Ｒｅｄｕｎｄａｎｃｙ  Ｖｅｒｓｉｏｎ」を指定するビットや、「ＭＣＳ」を指定するビットや、「Ｎｅｗ  Ｄａｔａ  Ｉｎｄｉｃａｔｏｒ」のビットや、「ＲＢ  ａｓｓｉｇｎｍｅｎｔ」を指定するビットが、前記上り無線リソース（ＰＵＣＣＨ）に関する第２情報として用いられていると看做して、信号の受信を行う。
【０１４８】
なお、上り無線リソース（ＰＵＣＣＨ）を介して受信した下りデータに対する送達確認情報（ＡＣＫ/ＮＡＣＫ）を送信するタイミングは、上述したように、下り無線リソース（ＰＤＳＣＨ）の受信タイミングと、固定的に定義された時間オフセットとに基づいて一意に決定されるタイミングである。
【０１４９】
なお、上述した例において、ＰＤＳＣＨ（下りデータ）に対する送達確認情報（ＡＣＫ／ＮＡＣＫ）は、ＰＵＣＣＨにより送信されているが、送達確認情報（ＡＣＫ／ＮＡＣＫ）が送信されるサブフレームにおいて、上りデータを送信するための物理上りリンク共有チャネルが送信される場合には、前記下りデータに対する送達確認情報は、ＰＵＳＣＨと多重されて送信されてもよい。
【０１５０】
或いは、送達確認情報（ＡＣＫ／ＮＡＣＫ）が送信されるサブフレームにおいて、上りデータを送信するための物理上りリンク共有チャネルが割り当てられている場合には、かかる下りデータに対する送達確認情報は、ＰＵＳＣＨ内の一部の情報として、送信されてもよい。
【０１５１】
一方、本発明に係る無線基地局ｅＮＢは、移動局ＵＥに対して、第１周期及び上り無線リソース（ＰＵＣＣＨ）に関する情報を通知するように構成されている。
【０１５２】
かかる上り無線リソース（ＰＵＣＣＨ）に関する情報に関する説明は、移動局ＵＥにおける説明と同様であるため、省略する。
【０１５３】
図４に示すように、無線基地局ｅＮＢは、Ｐｅｒｓｉｓｔｅｎｔ情報送信部２１と、Ｐｅｒｓｉｓｔｅｎｔ割当信号送信部２２と、下りデータ送信部２３と、ＡＣＫ/ＮＡＣＫ送信部２４とを具備している。
【０１５４】
Ｐｅｒｓｉｓｔｅｎｔ情報送信部２１は、移動局ＵＥに対して、上述の第１周期と上り無線リソース（ＰＵＣＣＨ）に関する第１情報とを含むＰｅｒｓｉｓｔｅｎｔ情報（固定的通信情報）を送信するように構成されている。
【０１５５】
具体的には、Ｐｅｒｓｉｓｔｅｎｔ情報送信部２１は、ＲＲＣメッセージを用いて、移動局ＵＥに対して、上述のＰｅｒｓｉｓｔｅｎｔ情報を通知するように構成されている。
【０１５６】
上り無線リソース（ＰＵＣＣＨ）に関する第１情報の説明は、移動局ＵＥにおける説明と同一であるため、省略する。なお、かかる上り無線リソース（ＰＵＣＣＨ）に関する第１情報は、ＡＣＫ／ＮＡＣＫ受信部２４に与えられる。
【０１５７】
Ｐｅｒｓｉｓｔｅｎｔ割当信号送信部２２は、移動局ＵＥに対して固定的割当信号を送信するように構成されている。
【０１５８】
具体的には、Ｐｅｒｓｉｓｔｅｎｔ割当信号送信部２２は、移動局ＵＥに対して、固定的割当信号として、「Ｐｅｒｓｉｓｔｅｎｔスケジューリング」用のＰＤＳＣＨ（下り無線リソース）の固定的な割り当てを指示するＰＤＣＣＨを送信するように構成されている。
【０１５９】
なお、かかる固定的割当信号には、「Ｐｅｒｓｉｓｔｅｎｔスケジューリング」用のＰＤＳＣＨ（下り無線リソース）の固定的な割り当てを指示する情報に加えて、ＰＵＣＣＨ（上り無線リソース）のリソースブロック番号や、１リソースブロック内で複数の送達確認情報が多重される場合の識別番号を通知するための上り無線リソース（ＰＵＣＣＨ）に関する第２情報が含まれている。
【０１６０】
尚、上述したように、前記Ｐｅｒｓｉｓｔｅｎｔ情報によって、上り無線リソース（ＰＵＣＣＨ）に関する情報が通知されず、ＰＤＣＣＨにより、上り無線リソース（ＰＵＣＣＨ）に関する第２情報を通知されるという処理が行われてもよい。
【０１６１】
かかる上り無線リソース（ＰＵＣＣＨ）に関する第２情報は、ＡＣＫ／ＮＡＣＫ受信部２４に与えられる。
【０１６２】
なお、Ｐｅｒｓｉｓｔｅｎｔ割当信号送信部２２は、前記下りデータに対する送達確認情報の無線リソースが他の移動局が送信する送達確認情報の無線リソースと衝突しないように、上述の上り無線リソース（ＰＵＣＣＨ）に関する第２情報の内容を決定するように構成されていてもよい。
【０１６３】
図５を用いて、前記下りデータに対する送達確認情報の無線リソースが、他の移動局が送信する送達確認情報の無線リソースと衝突しないように、上り無線リソース（ＰＵＣＣＨ）に関する第２情報の内容を決定する方法の一例を示す。
【０１６４】
図５においては、上り無線リソース（ＰＵＣＣＨ）として、２個のリソースブロックが定義され、そのリソースブロック番号として＃０、＃１が定義されている。また、１個のリソースブロック内に８個の無線リソースが定義され、その識別番号として、＃０、＃１、＃２、…、＃７が定義されている。
【０１６５】
ここで、前記Ｐｅｒｓｉｓｔｅｎｔ情報により、上り無線リソース（ＰＵＣＣＨ）に関する第１情報として、リソースブロック番号＃１が通知されていると仮定する。
【０１６６】
また、この送達確認情報の送信タイミングにおいて、既に、リソースブロック番号＃１における識別番号＃２、＃３、＃４の無線リソースが、それぞれ、他の移動局ＵＥ＃Ａ、移動局ＵＥ＃Ｂ、移動局ＵＥ＃Ｃにより使用されている。
【０１６７】
この場合、上り無線リソース（ＰＵＣＣＨ）に関する第２情報により、当該移動局ＵＥが送信する上り無線リソース（ＰＵＣＣＨ）が、他の移動局ＵＥ＃Ａ、＃Ｂ、＃Ｃが送信する上り無線リソース（ＰＵＣＣＨ）と衝突した場合、衝突された他の移動局ＵＥ及び当該移動局ＵＥの上り無線リソース（ＰＵＣＣＨ）の伝送特性は著しく劣化する。
【０１６８】
よって、Ｐｅｒｓｉｓｔｅｎｔ割当信号送信部２２は、上述した衝突を防ぐために、前記上り無線リソース（ＰＵＣＣＨ）に関する第２情報により、例えば、当該移動局ＵＥの上り無線リソース（ＰＵＣＣＨ）の識別番号を＃５に設定すると決定する。尚、上記識別番号を＃５にするというのは、一例であり、衝突が発生しないのであれば、＃６であってもよいし、＃１であってもよい。
【０１６９】
或いは、上述したように、「前記Ｐｅｒｓｉｓｔｅｎｔ情報により、上り無線リソース（ＰＵＣＣＨ）に関する第１情報が通知されず、ＰＤＣＣＨにより、上り無線リソース（ＰＵＣＣＨ）に関する第２情報のみが通知される」という処理が行われる場合には、Ｐｅｒｓｉｓｔｅｎｔ割当信号送信部２２は、上述した衝突を防ぐために、前記上り無線リソースに関する情報として、「リソースブロック番号＃１」と「識別番号＃５」を通知すると決定してもよい。
【０１７０】
尚、上述した衝突を防ぐことができるのであれば、「識別番号＃５」以外、例えば、識別番号＃０や＃１が通知されてもよいし、リソースブロック番号＃０が通知されてもよい。
【０１７１】
下りデータ送信部２３は、ＰＤＣＣＨによって割り当てられるＰＤＳＣＨ（下り無線リソース）を介して送信される下りデータを送信するように構成されている。
【０１７２】
具体的には、下りデータ送信部２３は、Ｐｅｒｓｉｓｔｅｎｔ割当信号送信部２２によって上述のＰｅｒｓｉｓｔｅｎｔ割当信号（固定的割当信号）が送信された場合に、かかるＰＤＣＣＨを送信したサブフレームを上述の第１割当開始時点として決定し、該第１割当開始時点を起点として上述の第１周期で固定的に「Ｐｅｒｓｉｓｔｅｎｔスケジューリング」用のＰＤＳＣＨ（下り無線リソース）を介した下りデータの送信を行うように構成されている。
【０１７３】
ＡＣＫ／ＮＡＣＫ受信部２４は、Ｐｅｒｓｉｓｔｅｎｔ情報送信部２１より、前記Ｐｅｒｓｉｓｔｅｎｔ情報によって通知された上り無線リソース（ＰＵＣＣＨ）に関する第１情報を受け取る。
【０１７４】
また、ＡＣＫ／ＮＡＣＫ受信部２４は、Ｐｅｒｓｉｓｔｅｎｔ割当信号送信部２２より、前記固定的割当信号によって通知された上り無線リソース（ＰＵＣＣＨ）に関する第２情報を受け取る。
【０１７５】
ＡＣＫ/ＮＡＣＫ受信部２４は、前記Ｐｅｒｓｉｓｔｅｎｔ情報によって通知された上り無線リソース（ＰＵＣＣＨ）に関する第１情報と前記固定的割当信号により通知された上り無線リソース（ＰＵＣＣＨ）に関する第２情報とに基づいて、上り無線リソース（ＰＵＣＣＨ）を決定し、前記上り無線リソース（ＰＵＣＣＨ）を介して、送信した下りデータに対する送達確認情報（ＡＣＫ/ＮＡＣＫ）を受信するように構成されている。
【０１７６】
なお、前記Ｐｅｒｓｉｓｔｅｎｔ情報によって通知された上り無線リソース（ＰＵＣＣＨ）に関する第１情報と前記固定的割当信号により通知された上り無線リソース（ＰＵＣＣＨ）に関する第２情報とに基づいた上り無線リソース（ＰＵＣＣＨ）の決定方法に関しては、移動局ＵＥにおける説明と同一であるため、省略する。
（本発明の第１の実施形態に係る移動通信システムの動作）
図６を参照して、本発明の第１の実施形態に係る移動通信システムの動作について説明する。
【０１７７】
図６に示すように、ステップＳ１０１において、移動局ＵＥは、無線基地局ｅＮＢから、ＲＲＣメッセージ等によって、上述の第１周期と上り無線リソース（ＰＵＣＣＨ）に関する第１情報とを含むＰｅｒｓｉｓｔｅｎｔ情報を受信する。そして、移動局ＵＥは、前記上り無線リソース（ＰＵＣＣＨ）に関する第１情報を取得する。
【０１７８】
ステップＳ１０２において、移動局ＵＥは、無線基地局ｅＮＢによってＰＤＣＣＨを介して送信されたＰｅｒｓｉｓｔｅｎｔ割当信号（固定的割当信号）を受信する。そして、移動局ＵＥは、前記Ｐｅｒｓｉｓｔｅｎｔ割当信号に含まれる上り無線リソース（ＰＵＣＣＨ）に関する第２情報を取得する。
【０１７９】
ステップＳ１０２において、移動局ＵＥは、Ｐｅｒｓｉｓｔｅｎｔ割当信号を受信したタイミングを第１割当開始時点と決定する。
【０１８０】
ステップＳ１０３において、移動局ＵＥは、前記上り無線リソース（ＰＵＣＣＨ）に関する第１情報と、前記上り無線リソース（ＰＵＣＣＨ）に関する第２情報とに基づいて、上り無線リソース（ＰＵＣＣＨ）を決定する。
【０１８１】
ここで、例えば、前記上り無線リソース（ＰＵＣＣＨ）に関する第１情報は、ＰＵＣＣＨのリソースブロック番号であり、前記上り無線リソース（ＰＵＣＣＨ）に関する第２情報は、ブロック拡散の直交カバー系列の番号またはＣＡＺＡＣ系列のサイクリックシフト量を指定する識別番号であってもよい。
【０１８２】
前記上り無線リソース（ＰＵＣＣＨ）に関する第１情報と、前記上り無線リソース（ＰＵＣＣＨ）に関する第２情報とに基づく上り無線リソース（ＰＵＣＣＨ）の決定方法は、上述した移動局ＵＥにおけるＡＣＫ／ＮＡＣＫ送信部１４において既に説明された上り無線リソース（ＰＵＣＣＨ）の決定方法と同様である。
【０１８３】
尚、上述したように、「前記Ｐｅｒｓｉｓｔｅｎｔ情報により、上り無線リソース（ＰＵＣＣＨ）に関する第１情報が通知されず、ＰＤＣＣＨにより、上り無線リソース（ＰＵＣＣＨ）に関する第２情報のみが通知される」という処理が行われる場合には、ステップＳ１０３において、ＰＤＣＣＨにマッピングされた前記上り無線リソース（ＰＵＣＣＨ）に関する第２情報に基づいて、上り無線リソース（ＰＵＣＣＨ）が決定される。
【０１８４】
ステップＳ１０４において、移動局ＵＥは、前記第１割当開始時点と前記第１周期とにより算出される「Ｐｅｒｓｉｓｔｅｎｔスケジューリング」の受信タイミングにおいて、前記Ｐｅｒｓｉｓｔｅｎｔ割当信号により指定された「Ｐｅｒｓｉｓｔｅｎｔスケジューリング」用のＰＤＳＣＨ（下り無線リソース）を介して下りデータを受信する。
【０１８５】
ステップＳ１０５において、移動局ＵＥは、ステップＳ１０３において決定された上り無線リソース（ＰＵＣＣＨ）を介して、ステップＳ１０４において受信した下りデータに対する送達確認情報（ＡＣＫ/ＮＡＣＫ）を送信する。
【０１８６】
その後、移動局ＵＥは、第１周期で固定的に割り当てられているＰＤＳＣＨ（下り無線リソース）を介して下りデータを受信し（ステップＳ１０４）、ＰＵＣＣＨ（上り無線リソース）を介して当該下りデータに対する送達確認情報（ＡＣＫ/ＮＡＣＫ）を送信する（ステップＳ１０５）。
【０１８７】
図７を参照して、本発明の第１の実施形態に係る無線基地局の動作について説明する。
【０１８８】
図７に示すように、ステップＳ２０１において、無線基地局ｅＮＢは、移動局ＵＥに対して、ＲＲＣメッセージ等によって、上述の第１周期と上り無線リソース（ＰＵＣＣＨ）に関する第１情報とを含むＰｅｒｓｉｓｔｅｎｔ情報を送信する。
【０１８９】
ステップＳ２０２において、無線基地局ｅＮＢは、移動局ＵＥに対して、ＰＤＣＣＨを介して送信されるＰｅｒｓｉｓｔｅｎｔ割当信号（固定的割当信号）を送信すると決定する。
【０１９０】
ステップＳ２０３において、無線基地局ｅＮＢは、他の移動局ＵＥの上り無線リソース（ＰＵＣＣＨ）と衝突しないように、前記Ｐｅｒｓｉｓｔｅｎｔ割当信号（固定的割当信号）に含める上り無線リソース（ＰＵＣＣＨ）に関する第２情報を決定する。
【０１９１】
ここで、例えば、前記上り無線リソース（ＰＵＣＣＨ）に関する第１情報は、ＰＵＣＣＨのリソースブロック番号であり、前記上り無線リソース（ＰＵＣＣＨ）に関する第２情報は、ブロック拡散の直交カバー系列の番号またはＣＡＺＡＣ系列のサイクリックシフト量を指定する識別番号であってもよい。
【０１９２】
（本発明の第１の実施形態に係る移動通信システムの作用・効果）
本発明の第１の実施形態に係る移動通信システムによれば、下り無線リソース（ＰＤＳＣＨ）を割り当てるタイミングを変更した場合に、他の移動局ＵＥの上り無線リソース（ＰＵＣＣＨ）と衝突しないように、上り無線リソース（ＰＵＣＣＨ）を割り当てることが可能となるため、「Ｐｅｒｓｉｓｔｅｎｔスケジューリング」による下り無線リソース（ＰＤＳＣＨ）を割当てる時点を柔軟に設定することが可能となり、無線利用効率の向上をはかることができる。
【０１９３】
（変更例）
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【０１９４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１９５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【０１９６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１９７】
ＵＥ…移動局１１…Ｐｅｒｓｉｓｔｅｎｔ情報受信部１２…Ｐｅｒｓｉｓｔｅｎｔ割当信号受信部１３…下りデータ受信部１４…ＡＣＫ/ＮＡＣＫ送信部ｅＮＢ…無線基地局２１…Ｐｅｒｓｉｓｔｅｎｔ情報受信部２２…Ｐｅｒｓｉｓｔｅｎｔ割当信号送信部２３…下りデータ送信部２４…ＡＣＫ/ＮＡＣＫ受信部
【図１】
0004751952.tif 000002
【図２】
0004751952.tif 000003
【図３】
0004751952.tif 000004
【図４】
0004751952.tif 000005
【図５】
0004751952.tif 000006
【図６】
0004751952.tif 000007
【図７】
0004751952.tif 000008
【図８】
0004751952.tif 000009
【図９】
0004751952.tif 000010